(57)【要約】【課題】  ノンレール式の門扉装置において、門扉本体を支持及び案内するガイドレールの位置調整を簡単に行いうる門扉装置を提供する。【解決手段】  門扉装置１の戸袋３内に、ガイドレール２１、２２を一体化したガイドローラユニット２０を備える。ガイドローラユニット２０において、一対のガイドローラ２１、２２は、フレーム２３の両側側面２３Ｂ、２３Ｃ間に軸支され、門扉本体２の上縁のレール６と係合して、門扉本体２を案内する。フレーム２３の傾斜角度を位置調整用ボルト２４のねじ込み量によって調整することにより、ガイドローラ２１、２２の高さに、門扉本体２に持たせるべき傾斜に応じた段差を持たせる。【選択図】      図２
2007186849.tif 000002
【特許請求の範囲】
【請求項１】
門扉本体と、
前記門扉本体の一部が収容される戸袋と、
前記戸袋内に配置されて前記門扉本体の支持及び案内をする複数のガイドローラと
を備えた門扉装置において、
前記ガイドローラの少なくとも一部を一体化したユニットと、
前記ユニットの傾斜角度を調整するための角度調整手段と
を備えたことを特徴とする門扉装置。
【請求項２】
前記門扉本体は、前記戸袋内のガイドローラによってのみ支持されている請求項１に記載の門扉装置。
【請求項３】
前記門扉本体は、前記複数のガイドローラによって略水平方向に案内されて移動し得る請求項１又は請求項２に記載の門扉装置。
【請求項４】
前記ユニットに傾斜角度を持たせることにより、前記ユニット内の複数のガイドローラが、相互に異なる高さで配置され得るようにした請求項１から請求項３のいずれか一つに記載の門扉装置。
【請求項５】
前記ユニットとして、前記門扉本体上側のガイドローラ総てを一体化したユニットを備えた請求項１から請求項４のいずれか一つに記載の門扉装置。
【請求項６】
前記ユニットとして、前記門扉本体下側のガイドローラ総てを一体化したユニットを備えた請求項１から請求項５のいずれか一つに記載の門扉装置。
【請求項７】
前記角度調整手段は、位置調整用のボルトであり、前記ボルトのねじ込み量を調整することにより、前記ユニットの傾斜角度が調整され得るようにした請求項１から請求項６のいずれか一つに記載の門扉装置。
【発明の詳細な説明】
【技術分野】
【０００１】
本発明は、ノンレール式の門扉装置に関する。
【背景技術】
【０００２】
各種施設や敷地の外塀（外囲い）に設けられる門扉装置として、門扉本体を案内するためのレールを地面に備えないタイプの門扉装置（いわゆるノンレール式の門扉装置）が知られている。
【０００３】
図８には、従来のノンレール式門扉装置を示す。図示されるように、門扉装置１０１は、門扉本体１０２と戸袋１０３とを備えている。門扉本体１０２は、戸袋１０３内に一部が収容された状態で、水平面（地面）１０４に対して略水平に支持され、戸袋１０３に対して左右方向に移動することにより、開閉するようになっている。門扉本体１０２の先端部１０２Ａ側には、戸当たり柱１０５が配置されており、門扉本体１０２が先端部１０２Ａが戸当たり柱１０５に当接する位置まで移動することにより、門扉が閉じられた状態となる。
【０００４】
図９、図１０には、戸袋１０３内部の構成を示す。図示されるように、戸袋１０３内部の上下左右の四隅には、門扉本体１０２を支持して左右方向に案内するためのガイドローラ装置１１０が備えられている。各ガイドローラ装置１１０は、ガイドローラ１１１と、ブラケット１１２と、位置調整用ボルト１１３とを備えている。ブラケット１１２は、戸袋１０３の天板１０６又は底板１０７に対する位置（高さ）を位置調整ボルト１１３のねじ込み量によって調節されたうえで、図示されない固定用ボルトによって天板１０６又は底板１０７に固定される。ガイドローラ１１１は、ブラケット１１２に回動可能に支持されたもので、門扉本体１０２の上縁部及び下縁部にそれぞれ設けられたレール１０８及び１０９に係合することにより、門扉本体１０２を支持し、左右方向に案内するようになっている。
【特許文献１】特開２０００−２３４４６８号
【発明の開示】
【発明が解決しようとする課題】
【０００５】
上記のような構成により、閉鎖位置近辺に配置された門扉本体１０２は、基端部１０２Ｂ付近でガイドローラ１１１により支持されることになる。このため、門扉本体１０２の先端部１０２Ｂ側は、宙に浮いた状態となるので、門扉本体１０２を単純に水平方向に配置しようとすると、先端部１０２Ａが垂れ下がった状態となってしまう。そこで、門扉装置１０１においては、門扉本体１０２を、基端部１０２Ｂ側よりも先端部１０２Ａ側が高くなるように、僅かに角度を付けて支持するようになっている。具体的には、門扉本体１０２の基端部１０２Ｂ側（図８、図９の左側）のガイドローラ１１１よりも、先端部１０１Ａ側（図８、図９の右側）のガイドローラ１１１が僅かに高く配置されるように、各ガイドローラ装置１１０のブラケット１１２の位置を位置調整用ボルト１１３によって調整することになる。
【０００６】
このように、従来の門扉装置１０１では、ガイドローラ１１１の取り付け作業は個々のガイドローラ１１１毎に行う必要があったので、門扉本体１０２に適切な傾斜角度を持たせるためのガイドローラ１１１の位置調整も、個々のガイドローラ１１１毎に行わねばならず、面倒な作業が必要となっていた。
【０００７】
本発明は、このような問題点に着目してなされたもので、ノンレール式の門扉装置において、門扉本体を支持及び案内するガイドレールの位置調整を簡単に行いうる門扉装置を提供することを目的とする。
【課題を解決するための手段】
【０００８】
本発明は、門扉本体と、前記門扉本体の一部が収容される戸袋と、前記戸袋内に配置されて前記門扉本体の支持及び案内をする複数のガイドローラとを備え、前記門扉本体は前記複数のガイドローラによって略水平方向に案内されて移動し得るようにした門扉装置において、前記ガイドローラの少なくとも一部を一体化したユニットと、前記ユニットの傾斜角度を調整するための角度調整手段とを備えた。
【０００９】
前記門扉本体は、前記戸袋内のガイドローラによってのみ支持されていてもよい。
【００１０】
前記門扉本体は、前記複数のガイドローラによって略水平方向に案内されて移動し得るようにしてもよい。
【００１１】
前記ユニットに傾斜角度を持たせることにより、前記ユニット内の複数のガイドローラが、相互に異なる高さで配置され得るようにしてもよい。
【００１２】
前記ユニットとして、前記門扉本体上側のガイドローラ総てを一体化したユニットを備えてもよい。
【００１３】
前記ユニットとして、前記門扉本体下側のガイドローラ総てを一体化したユニットを備えてもよい。
【００１４】
前記角度調整手段は、位置調整用のボルトであり、前記ボルトのねじ込み量を調整することにより、前記ユニットの傾斜角度が調整され得るようにしてもよい。
【発明の効果】
【００１５】
本発明によれば、門扉装置に、複数のガイドローラを一体化したユニット（例えばガイドローラユニット２０、４０）を備え、角度調整手段（例えば、位置調整用ボルト２４、４４）によってユニットの傾斜角度を調整可能としたので、ガイドローラの取り付け作業においては、戸袋にユニットを設置して、ユニットの傾斜角度を調整するだけで、ユニット内の複数のガイドローラが、適切な位置へと簡単に配置される。例えば、ノンレール式の門扉装置のように、門扉本体が戸袋内のガイドローラのみによって支持されている場合、門扉本体に適切な傾斜を持たせるために、複数のガイドローラの高さを相互に異ならせる必要があるが、このような作業も、ユニットに適切な傾斜角度を持たせるだけで、容易に行うことができる。したがって、ガイドローラの設置作業は、極めて容易かつ効率的に行える。
【発明を実施するための最良の形態】
【００１６】
以下、添付図面を参照して本発明の各実施形態を説明する。
【００１７】
図１には、本発明の実施形態における門扉装置１を示す。図示されるように、門扉装置１は、門扉本体２と戸袋３とから構成されている。門扉本体２は、矩形のフレーム２Ａ内に複数の格子２Ｂを備えた部材であり、その一部が戸袋３内に収容されている。この門扉本体２が戸袋３に対して左右方向に移動することにより、門扉が開閉される。
【００１８】
ここで、門扉装置１を閉鎖状態とする場合、門扉本体２は、戸袋３において、基端部２Ｃ付近を片持ち支持されることになる。この場合、門扉本体２の先端部２Ｄ側の重みが適切に支持され、門扉本体２が全体として（その撓みを含めて）略水平に配置される必要がある。このため、門扉本体２は、水平面（地面）４に対して微小な傾斜角度θだけ先端部２Ｄ側を持ち上げた状態で、戸袋３において支持されようになっている。
【００１９】
図２には、門扉装置１の戸袋２付近の構成を断面図で示す。なお、この図２では、簡略化のため、門扉本体２の格子２Ｂの一部を、図示から省略している。
【００２０】
図示されるように、戸袋３は、ケーシング１１内に、門扉本体２を案内するための複数のガイドローラを配置して構成されている。詳しく説明すると、ケーシング１１の底板１１Ａには、一対のガイドローラ装置１２、１３が備えられる。これらのガイドローラ装置１２、１３のガイドローラ１２Ａ、１３Ａが、門扉本体２の下縁のレール５に係合することにより、門扉本体２がガイドローラ１２Ａ、１３Ａの上を案内される。
【００２１】
ガイドローラ装置１２、１３の各々は、図９及び図１０に示したガイドローラ装置１１０と同様の構成のもので、図示されない位置調整用ボルトのねじ込み量の調節により、ガイドローラ１２Ａ、１３Ａの高さ（底板１１Ａに対する位置）を調整し得るものである。ここで、ガイドローラ１２Ａ、１３Ａの高さは、門扉本体２が傾斜角度θで傾斜して配置されるように、門扉本体２先端側のガイドローラ１３Ａの高さが、門扉本体２基端側のガイドローラ１２Ａの高さよりも、僅かに高くなるように調整される。
【００２２】
一方、ケーシング１１の天板１１Ｂには、ガイドローラユニット２０が固定されている。図３から図６にも示すように、ガイドローラユニット２０は、門扉本体２上縁のレール１０８と係合する一対のガイドローラ２１、２２と、断面コの字型のフレーム２３と、位置調整用ボルト２４と、固定用ボルト２５とから構成される。
【００２３】
フレーム２３は、天面２３Ａと、天面２３Ａの両側の側面２３Ｂ、２３Ｃとを備えている。両側面２３Ｂ、２３Ｃの間には、ガイドローラ２１、２２が、回転軸２６、２７を介して回動自在に配置されている。
【００２４】
フレーム２３の天面２３Ａの両端付近には、固定用ボルト２５用のネジ孔３２が、また天面２３Ａの中央付近には、位置調整用ボルト２４用のネジ孔３１が、それぞれ形成されている。本実施形態では、位置調整用ボルト２４用のネジ孔３１は、門扉本体２の基端側２Ｃ側のガイドローラ２６に隣接する２個と、門扉本体２の基端側２Ｃ側のガイドローラ２６に隣接する２個の、合計４個が設けられている。
【００２５】
位置調整用ボルト２４は、ネジ孔３１から戸袋３のケーシング１１の天板１１Ｂにかけてねじ込まれる。この位置調整用ボルト２４のねじ込み量を変更することにより、フレーム２３とケーシング１１の天板１１Ｂとの間隔を変更できる。この場合、ガイドローラ２１側の位置調整用ボルト２４と、ガイドローラ２２側の位置調整用ボルト２４とでねじ込み量を異ならせることにより、フレーム２３を傾斜させ、ガイドローラ２１、２２の高さに段差を持たせることができる。位置調整用ボルト２４による位置調整がなされたら、固定用ボルト２５をネジ孔３２から戸袋３のケーシング１１の天板１１Ｂにかけてねじ込むことにより、ガイドローラユニット２０の位置を完全に固定する。
【００２６】
以上のような構成により、本実施形態によれば、門扉本体２を所定の傾斜角度θで配置するためのガイドローラの位置決めを容易に行うことが可能となる。すなわち、門扉本体２の上縁側では、ガイドローラユニット２０を戸袋３の天板１１Ｂに取り付けるだけで、複数なガイドローラ２１、２２をいっぺんに、適切な位置へと（適切な段差で）配置できる。したがって、ガイドローラ２１、２２の取り付け作業は極めて容易となる。
【００２７】
図７には、本発明の他の実施形態を示す。図示されるように、本実施形態では、上記実施形態におけるガイドローラユニット２０に代えて、ガイドローラユニット３０を用いている。ガイドローラユニット４０は、ガイドローラ４１、４２は、ガイドローラ４１、４２を支持するブラケット４３と、ブラケット４３が固定された支持板４４とから構成される。支持板４４の傾斜角度は、位置調整ボルト４５のねじ込み量により調整される。支持板４４の天板１１Ａへの完全な固定は、支持板４４両端付近に配置された固定用ボルト４６によりなされる。
【００２８】
なお、上記各実施形態では、門扉本体２の上縁側のガイドローラのみユニット化したが、本発明はこのような形態に限られるものではなく、門扉本体２の下縁側のガイドローラをユニット化することも可能である。また、上記各実施形態では、ガイドローラのユニット内に２個のガイドローラを備えるようにしたが、ユニット内に３個以上のガイドローラを備えることも可能である。
【図面の簡単な説明】
【００２９】
【図１】本発明の実施形態における門扉装置を示す正面図である。
【図２】同じく門扉装置の戸袋部分を示す断面図である。
【図３】同じくガイドローラユニット周辺を示す断面図である。
【図４】同じく門扉装置の戸袋部分を示す平面図である。
【図５】同じくガイドローラユニットの平面図である。
【図６】同じくガイドローラユニットの断面図である。
【図７】本発明の他の実施形態における門扉装置の断面図である。
【図８】従来の門扉装置を示す正面図である。
【図９】同じく門扉装置の戸袋部分を示す平面図である。
【図１０】同じく戸袋の下端付近を示す側断面図である。
【符号の説明】
【００３０】
１  門扉装置
２  門扉本体
３  戸袋
４  地面
１１  ケーシング
１１Ａ  底板
１１Ｂ  天板
２０  ガイドローラユニット
２１  ガイドローラ
２２  ガイドローラ
２３  フレーム
２４  位置調整用ボルト
２５  固定用ボルト
【図１】
2007186849.tif 000003
【図２】
2007186849.tif 000004
【図３】
2007186849.tif 000005
【図４】
2007186849.tif 000006
【図５】
2007186849.tif 000007
【図６】
2007186849.tif 000008
【図７】
2007186849.tif 000009
【図８】
2007186849.tif 000010
【図９】
2007186849.tif 000011
【図１０】
2007186849.tif 000012